(57)【要約】  【課題】  サラウンド機能を有するオーディオ装置において、ワイヤードヘッドホンとワイヤレスヘッドホンとをともに使用可能とするとともに、とくにワイヤレスヘッドホンの専用の送信回路を必要としないシステムを提供する。  【解決手段】  ヘッドホンを使用しない場合には左右一対の前方のスピーカ１３、１４と左右一対の後方のサラウンドスピーカ１５、１６とによって音声を再生し、ワイヤードヘッドホンのジャック４３が挿入された場合には、左右のフロントスピーカ１３、１４に供給されるべき信号をヘッドホンに供給するとともに、４つのスピーカ１３〜１６の駆動を停止する。またワイヤレスヘッドホンを用いる場合には、フロント側のスピーカに供給されるべき音声信号を送信回路５７によってワイヤレスヘッドホン２６に供給し、しかも４つのスピーカ１３〜１６の駆動を停止する。【選択図】  図２
2005124106.tif 000002
【特許請求の範囲】
【請求項１】
フロントスピーカとリヤスピーカまたはサラウンドスピーカとを有する音声再生装置において、
前記リヤスピーカまたは前記サラウンドスピーカに音声信号をワイヤレスで送信するワイヤレス送信手段と、
ヘッドホンジャックにプラグが挿入されると前記フロントスピーカへの音声出力を前記ヘッドホンジャック側に切換えるとともに、前記ワイヤレス送信手段の作動を停止させる第１の切換え手段と、
ワイヤレスヘッドホンを使用する際に前記フロントスピーカへの音声出力を遮断するとともに、前記ワイヤレス送信手段によって前記ワイヤレスヘッドホンへ音声出力を送信するように切換える第２の切換え手段と、
を具備する音声再生装置。
【請求項２】
前記第２の切換え手段を切換えると、前記ワイヤレス送信手段はフロントスピーカへ供給すべきフロント側の音声信号を前記ワイヤレス送信手段によって前記ワイヤレスヘッドホンに送信することを特徴とする請求項１に記載の音声再生装置。
【請求項３】
前記ワイヤレス送信手段は赤外線に音声信号を重畳して送信することを特徴とする請求項１に記載の音声再生装置。
【請求項４】
前記第２の切換え手段を切換えて前記ワイヤレス送信手段によって前記ワイヤレスヘッドホンに音声信号を供給すると、前記リヤスピーカまたは前記サラウンドスピーカの駆動が停止されることを特徴とする請求項１に記載の音声再生装置。
【請求項５】
前記第２の切換え手段の切換えに伴って前記音声信号に挿入される識別信号を検出手段が検出すると、前記リヤスピーカまたは前記サラウンドスピーカの駆動回路が停止状態に切換えられることを特徴とする請求項４に記載の音声再生装置。
【請求項６】
前記第２の切換え手段の切換えに伴って前記音声信号の搬送周波数を変更するとともに、変更された搬送周波数を検出手段が検出すると前記リヤスピーカまたは前記サラウンドスピーカの駆動回路が停止状態に切換えられることを特徴とする請求項４に記載の音声再生装置。
【請求項７】
リモートコマンダを具備し、該リモートコマンダから切換え信号が発信されると、前記第２の切換え手段が前記フロントスピーカの駆動を停止して前記ワイヤレスヘッドホンに音声信号を供給することを特徴とする請求項１に記載の音声再生装置。
【発明の詳細な説明】
【技術分野】
【０００１】
本発明は音声再生装置に係り、とくにフロントスピーカとリヤスピーカまたはサラウンドスピーカとを有する音声再生装置に関する。
【背景技術】
【０００２】
オーディオ装置の音響効果を高めるために、左右一対のフロントスピーカの他にさらに左右一対のリヤスピーカまたはサラウンドスピーカを加え、４つのスピーカによって音声を再生するようにしたオーディオ装置が用いられる。このようなオーディオ装置はとくに、後側に配される左右一対のリヤスピーカあるいはサラウンドスピーカによってオーディオ装置にサラウンド機能を付加することができ、臨場感に溢れた音声の再生が可能になる。
【０００３】
図７は従来のこの種のオーディオ装置のシステム構成をブロック的に示したものであって、信号源となるラジオチューナ３１、テレビチューナ３２、ディスクプレーヤ３３、テーププレーヤ３４等がセレクトスイッチ３５を介してＡ／Ｄ変換器３６に接続され、このＡ／Ｄ変換器３６の後段にデコーダ・Ｄ／Ａ変換器３７（以降デコーダ３７という）が接続される。そしてこのデコーダ３７のＦＬ出力がアンプ４１によって増幅されて左前方のスピーカ１３を駆動する。またデコーダ３７のＦＲ出力がアンプ４５で増幅され、右前方のスピーカ１４を駆動する。
【０００４】
これに対してデコーダ３７のＳＬ出力およびＳＲ出力は送信回路５７に供給される。そして送信回路５７によってＳＬ出力とＳＲ出力をそれぞれ受信回路５９、６０にワイヤレスで送信し、アンプ６１、６２によってそれぞれ増幅し、左後方のスピーカ１５と右後方のスピーカ１６とをそれぞれ駆動する。
【０００５】
上記のような動作は前方の左右一対のスピーカ１３、１４と後方の左右一対のスピーカ１５、１６とによって音声を再生するものであって、後側のスピーカ１５、１６によってサラウンド機能が発現される。
【０００６】
これに対してヘッドホンによって音楽を楽しむ場合には、ヘッドホンジャック４３にヘッドホンと接続されたプラグを挿入する。するとこのプラグの一対の電極が接点４４、４７に接触する。接点４７はデコーダ３７のＦＬ出力がアンプ４２を介して印加され、接点４４はデコーダ３７のＦＲ出力がアンプ４４を介して接続されている。従ってヘッドホンには、デコーダ３７のＦＬ出力とＦＲ出力とがそれぞれ供給される。
【０００７】
このときにプラグの挿入を検出する検出スイッチ４９が閉成し、その出力によってスイッチ５１、５２をそれぞれＯＦＦにする。従ってアンプ４１からスピーカ１３への出力の供給が遮断され、アンプ４５からスピーカ１４への出力が遮断される。さらに検出スイッチ４９の出力がスイッチ６８をＯＦＦにするために、送信回路５７が遮断される。従って送信回路５７によるワイヤレスでのサラウンド信号の出力が停止され、このために後側の一対のスピーカ１５、１６に信号が供給されず、これらのスピーカ１５、１６は音声を再生しなくなる。
【０００８】
このようなオーディオ装置によると、４つのスピーカ１３〜１６による音声の再生と、ワイヤードヘッドホンによる音声の再生とを選択して音楽を楽しむことが可能になる。ところが一般にサラウンド機能を有するオーディオ装置は、プラズマディスプレイパネル等の大型の表示装置と組合わせて用いられることが多い。従ってディスプレイパネルから比較的離れた位置でリスナは音楽を楽しむことになる。従ってワイヤードヘッドホンを用いた場合には、非常に長い信号ケーブルを有するヘッドホンが必要になる問題がある。
【０００９】
このような問題点に鑑みて、特開平５−１２２７８９号公報には、ＡＶ機器が操作されて２チャンネルモードが選択されているときには、ＡＶ機器に設けられているフロントスピーカ等からフロント用音声を出力させ、またワイヤレスヘッドホンモードが選択されているときには、ＡＶ機器によってフロント音声を光信号に変換してこれをワイヤレスヘッドホンに送信して再生させ、またサラウンドモードが選択されているときには、ＡＶ機器に設けられているフロントスピーカ等からフロント用音声を出力させるとともに、ＡＶ機器によってサラウンド音声信号を光信号に変換してこれをＬＣＨスピーカやサラウンド用ＲＣＨスピーカに送信して再生させるようにし、長いスピーカコードを使用することなくサラウンドスピーカにサラウンド信号を送ってこれを再生させたり、フロント音声信号をワイヤレスヘッドホンに送ってこれを再生させたりするようにしたワイヤレスヘッドホン／サラウンドシステムが開示されている。
【００１０】
上記の特開平５−１２２７８９号公報に開示されているシステムは、ワイヤレスヘッドホンしか使用できない欠点がある。一般にワイヤレスヘッドホンは赤外線あるいは電波によってワイヤレスでオーディオ機器から音声信号を受信し、これを内部の駆動部で再生して音声を出力するものである。そしてとくに赤外線式の受信部あるいは電波の受信部を必要とするために、高価で特殊なヘッドホンになる。従って上記のような装置は、高価で特殊なヘッドホンが必要になり、通常のワイヤードヘッドホンを使用できない欠点がある。
【００１１】
【特許文献１】特開平５−１２２７８９号公報
【特許文献２】特開昭６２−２８３７９９号公報
【特許文献３】特開２００２−１９１１００号公報
【発明の開示】
【発明が解決しようとする課題】
【００１２】
本願発明の課題は、サラウンド機能を有する音声再生装置において、スピーカによる再生とヘッドホンによる再生とを選択して利用できるようにしたシステムを提供することである。
【００１３】
本願発明の別の課題は、ヘッドホンによって音声を再生する場合に、ワイヤードヘッドホンとワイヤレスヘッドホンの何れをも利用できるようにし、それぞれの場合に応じて音声の出力部を切換えるようにしたオーディオ装置を提供することである。
【００１４】
本願発明の別の課題は、リヤスピーカあるいはサラウンドスピーカに対する音声信号のワイヤレスでの送信と、ワイヤレスヘッドホンに対する音声信号の送信とを兼用し得るようにした送信装置を有する音声再生装置を提供することである。
【００１５】
本願発明のさらに別の課題は、リヤスピーカあるいはサラウンドスピーカを使用する場合と、ヘッドホンを使用する場合との切換えを手動操作によって、あるいは自動的に切換えることができる音声再生装置を提供することである。
【課題を解決するための手段】
【００１６】
本願の主要な発明は、フロントスピーカとリヤスピーカまたはサラウンドスピーカとを有する音声再生装置において、
前記リヤスピーカまたは前記サラウンドスピーカに音声信号をワイヤレスで送信するワイヤレス送信手段と、
ヘッドホンジャックにプラグが挿入されると前記フロントスピーカへの音声出力を前記ヘッドホンジャック側に切換えるとともに、前記ワイヤレス送信手段の作動を停止させる第１の切換え手段と、
ワイヤレスヘッドホンを使用する際に前記フロントスピーカへの音声出力を遮断するとともに、前記ワイヤレス送信手段によって前記ワイヤレスヘッドホンへ音声出力を送信するように切換える第２の切換え手段と、
を具備する音声再生装置に関するものである。
【００１７】
ここで前記第２の切換え手段を切換えると、前記ワイヤレス送信手段はフロントスピーカへ供給すべきフロント側の音声信号を前記ワイヤレス送信手段によって前記ワイヤレスヘッドホンに送信することが好ましい。また前記ワイヤレス送信手段は赤外線に音声信号を重畳して送信することが好ましい。また前記第２の切換え手段を切換えて前記ワイヤレス送信手段によって前記ワイヤレスヘッドホンに音声信号を供給すると、前記リヤスピーカまたは前記サラウンドスピーカの駆動が停止されることが好ましい。また前記第２の切換え手段の切換えに伴って前記音声信号に挿入される識別信号を検出手段が検出すると、前記リヤスピーカまたは前記サラウンドスピーカの駆動回路が停止状態に切換えられることが好ましい。また前記第２の切換え手段の切換えに伴って前記音声信号の搬送周波数を変更するとともに、変更された搬送周波数を検出手段が検出すると前記リヤスピーカまたは前記サラウンドスピーカの駆動回路が停止状態に切換えられることが好ましい。またリモートコマンダを具備し、該リモートコマンダから切換え信号が発信されると、前記第２の切換え手段が前記フロントスピーカの駆動を停止して前記ワイヤレスヘッドホンに音声信号を供給することが好ましい。
【００１８】
本願発明の好ましい態様は、リヤスピーカあるいはサラウンドスピーカに対してワイヤレスで音声信号を送信する送信手段をワイヤレスヘッドホンに対する音声の送信に兼用するとともに、汎用のワイヤードヘッドホンによっても音声の再生を可能にするものであって、ヘッドホンに対する音声信号はフロントスピーカに送信すべき音声信号を送るようにし、これによってヘッドホンだけの音声の再生に対応できるようにしたものである。
【発明の効果】
【００１９】
本願の主要な発明は、フロントスピーカとリヤスピーカまたはサラウンドスピーカとを有する音声再生装置において、リヤスピーカまたはサラウンドスピーカに音声信号をワイヤレスで送信するワイヤレス送信手段と、ヘッドホンジャックにプラグが挿入されるとフロントスピーカへの音声出力をヘッドホンジャック側に切換えるとともに、ワイヤレス送信手段の作動を停止させる第１の切換え手段と、ワイヤレスヘッドホンを使用する際にフロントスピーカへの音声出力を遮断するとともに、ワイヤレス送信手段によってワイヤレスヘッドホンへ音声出力を送信するように切換える第２の切換え手段と、を具備するものである。
【００２０】
従ってこのような音声再生装置によれば、ワイヤレス送信手段によってリヤスピーカまたはサラウンドスピーカに音声信号をワイヤレスで送信することが可能になり、しかもヘッドホンジャックにプラグが挿入されるとフロントスピーカへの音声出力がヘッドホンに供給され、ワイヤレスヘッドホンを使用する際にはフロントスピーカへの音声が遮断されるとともに、上記ワイヤレス送信手段によってヘッドホンへ音声出力が送信されるようになり、スピーカによる再生、ワイヤードヘッドホンによる再生、およびワイヤレスヘッドホンによる再生の３つの使用の態様を任意に選択できるようになる。
【発明を実施するための最良の形態】
【００２１】
以下本願発明を図示の実施の形態によって説明する。図１は第１の実施の形態を示すものであって、オーディオ装置１０はディスプレイパネル１１の前方に配される。なおここでディスプレイパネル１１としては、プラズマディスプレイパネル等の大型の表示装置が用いられる。そしてこのようなディスプレイパネル１１と組合わせるように、前方の左右一対のフロントスピーカ１３、１４と後方の左右一対のサラウンドスピーカ１５、１６とが配置される。
【００２２】
上記オーディオ装置１０は発光部２０を備え、この発光部２０によって赤外線に重畳して音声信号を送信するようにしている。これに対して後側の左右一対のサラウンドスピーカ１５、１６はそれぞれ受光部２１、２２を備え、これらの受光部２１、２２によって発光部２０から発光された赤外線を受光し、復調して音声信号を取出し、サラウンドスピーカ１５、１６を駆動するようにしている。
【００２３】
オーディオ装置１０には操作釦２４が設けられており、この操作釦２４をリスナ２５が操作し、ヘッドホン２６によって音声を再生するようにしている。すなわち操作釦２５を操作してヘッドホン２６によって音声を再生する場合には、前方の左右一対のスピーカ１３、１４および後方の左右一対のスピーカ１５、１６はそれぞれその再生動作を停止するとともに、オーディオ装置１０の発光部２０から赤外線に重畳した信号をヘッドホン２６の受光部２７に送信し、これによってヘッドホン２６によってフロントスピーカ１３、１４へ供給される音声信号を再生するようにしている。
【００２４】
次に以上のようなシステムの回路の構成を説明すると、図２に示すようにこのオーディオ装置１０はその信号源としてラジオチューナ３１、テレビチューナ３２、ディスクプレーヤ３３、テーププレーヤ３４をそれぞれ備えている。これらの信号源はセレクトスイッチ３５を介してＡ／Ｄ変換器３６に接続されている。そしてＡ／Ｄ変換器３６の後段にデコーダ・Ｄ／Ａ変換器３７（以下デコーダ３７と称する）が接続される。
【００２５】
デコーダ３７のＦＬ端子にはアンプ４１が接続され、このアンプ４１に左前方のスピーカ１３が接続される。さらにデコーダ３７のＦＬ端子にはアンプ４２が接続され、このアンプ４２がヘッドホンジャック４３の左側の接点４７に接続される。またデコーダ３７のＦＲ端子にはアンプ４５が接続され、アンプ４５の出力側に右前方のスピーカ１４が接続される。またデコーダ３７のＦＲ端子にはアンプ４６が接続される。アンプ４６はヘッドホンジャック４３の右側の接点４４に接続される。
【００２６】
上記ヘッドホンジャック４３に検出スイッチ４９が設けられるとともに、この検出スイッチ４９の検出出力がダイオード５０を介して左右のスイッチ５１、５２に接続され、これらのスイッチ５１、５２のＯＮ・ＯＦＦの開閉制御を行なうようになっている。
【００２７】
次にデコーダ３７のＦＬ端子とＳＬ端子は切換えスイッチ５５を介して送信回路５７の一方の入力端子に接続される。またデコーダ３７のＦＲ端子とＳＲ端子とは切換えスイッチ５６を介して送信回路５７の他方の入力端子に接続される。
【００２８】
上記送信回路５７と対をなす左右の受信回路５９、６０にはそれぞれアンプ６１、６２が接続される。そしてアンプ６１、６２の出力側に左後方のスピーカ１５と右後方のスピーカ１６とが接続される。
【００２９】
上記オーディオ装置１０の操作釦２４によって開閉されるスイッチ６５が設けられるとともに、このスイッチ６５はさらにスイッチ６６を開閉制御し、さらにはダイオード６７、６８を介してスイッチ５１、５２の開閉制御を行なうようにしている。上記スイッチ６６は送信回路５７の電源スイッチ６９の開閉制御を行なうようになっている。またスイッチ６５の出力によって切換えスイッチ５５、５６の切換え動作が行なわれるようになっている。
【００３０】
次に図２に示す回路の動作を説明する。リスナ２５がヘッドホンを用いることなく、４つのスピーカ１３、１４、１５、１６によって再生された音楽を楽しむ場合には、ヘッドホンジャック４３に対するワイヤードヘッドホンのプラグの挿入を行なわない。プラグを挿入しないと検出スイッチ４９が検出動作を行なわず、このためにスイッチ４９の出力は低レベルになり、このためにスイッチ５１、５２にはともにＯＮになる。またオーディオ装置１０の操作釦２４を押圧操作せず、スイッチ６５をＯＦＦにしておく。すると送信回路５７の入力側の切換えスイッチ５５、５６はそれぞれデコーダ３７のＳＬ端子およびＳＲ端子側に切換えられる。またスイッチ６５がＯＦＦであるためにスイッチ６６はＯＮになるものの、スイッチ４６の出力が低レベルであるためにスイッチ６９はＯＮになり、送信回路５７は送信動作を行なう
従ってこの場合にはデコーダ３７のＦＬ端子およびＦＲ端子から供給される左右のフロント側の音声信号はアンプ４１、４５およびスイッチ５１、５２を介して左右のフロントスピーカ１３、１４に供給される。従って左右のスピーカ１３、１４が音声を再生する。
【００３１】
またデコーダ３７のＳＬ端子とＳＲ端子からのサラウンド信号が何れも送信回路５７に送られ、ここでワイヤレスでの送信が行なわれる。従って左右の受信回路５９、６０が左右のサラウンド信号を受信し、アンプ６１、６２によって増幅して左右のサラウンドスピーカ１５、１６の駆動を行なう。従って左右一対のフロントスピーカ１３、１４と左右一対のリヤスピーカ１５、１６とによって音声の再生が行なわれる。
【００３２】
ここでとくにオーディオ装置１０から遠く離れている後側のスピーカ１５、１６に対するサラウンド信号の供給が送信回路５７の発光部２０と受信回路５９、６０と接続される受光部２１、２２との間で赤外線によって送信されるために、長い信号ケーブルをオーディオ装置１０と左右のリヤスピーカ１５、１６との間で接続する必要がなくなる。なお左右のスピーカ１５、１６に対する電源の供給はそれぞれプラグを差込んだ近くのコンセントから供給される。
【００３３】
次にワイヤードヘッドホンによって音声を楽しむ場合には、ヘッドホンジャック４３にヘッドホンの信号ケーブルの先端側のプラグを挿入する。するとこのプラグの左右の電極がそれぞれ接点４７、４４に接触する。従ってデコーダ３７のＦＬ端子とＦＲ端子からの音声信号がアンプ４２、４６を介して接点４７、４４に供給され、これによって本来左右のフロントスピーカ１３、１４へ供給されるべき信号がヘッドホンに供給されるようになる。
【００３４】
上記ヘッドホンジャック４３に対するプラグの挿入によって、検出スイッチ４９が検出動作を行ない、その出力がハイレベルになり、ダイオード５０を介してスイッチ５１、５２に供給され、これらのスイッチ５１、５２がＯＦＦになる。従って左右の前方のスピーカ１３、１４への音声信号の供給が遮断される。またこのときにはスイッチ６５がＯＦＦになっているために、スイッチ６６が閉じられるとともに、検出スイッチ４９の出力がスイッチ６６を介してスイッチ６９に供給され、スイッチ６９をＯＦＦにする。従って送信回路５７の動作が遮断される。従って送信回路５７から受信回路５９、６０に対するサラウンド信号の供給が遮断され、後側の左右のスピーカ１５、１６は音声を再生しない。
【００３５】
次にワイヤレスヘッドホン２６によって音声を楽しむ場合には、オーディオ装置１０の操作釦２４を操作し、スイッチ６５をＯＮにする。するとスイッチ６５と接続されている切換えスイッチ５５、５６がともにデコーダ３７のＦＬ端子およびＦＲ端子と接続されるように切換えられる。さらにスイッチ６５の出力がハイレベルになるために、このハイレベルの出力がダイオード６７および６８を介してスイッチ５１、５２に伝達され、これらのスイッチ５１、５２がＯＦＦになる。従って左右の前方のスピーカ１３、１４に対する音声信号の供給が遮断される。さらにスイッチ６５の出力がスイッチ６６に供給されてスイッチ６６がＯＦＦになる。従ってスイッチ６９がＯＮになり、送信回路５７が作動する。そしてこの送信回路５７の発光部２０からの赤外線がヘッドホン２６の受光部２７に送信され、この赤外線に重畳された音声信号によってワイヤレスヘッドホン２６による音声の再生が行なわれる。
【００３６】
なおこのときに送信回路５７と接続される発光部２０からの赤外線が受信回路５９、６０の受光部２１、２２によって受光されると、左右のサラウンドスピーカ１５、１６が音声を再生する。そこで図３に示すように、上記受信回路５９、６０に検出回路７２を接続するとともに、この検出回路７２によってアンプ６１、６２の電源の制御を行なうスイッチ７３のＯＮ・ＯＦＦの制御を行なうようにしている。
【００３７】
オーディオ装置１０の操作釦２４の操作に連動してスイッチ６５がＯＮになると、その出力がデコーダ３７に印加される。従ってこの場合にはワイヤレスのヘッドホンを使用することになる。これに対してスイッチ６５の出力がデコーダ３７に供給されない場合には、デコーダ３７は原則としてサラウンドスピーカ１５、１６による再生が行なわれるものと判断する。そしてそれぞれの場合について、図４に示すように音声信号の最初の部分に識別信号を付加するようにしており、サラウンドスピーカを使用する場合には例えば１００の信号を付加し、ワイヤレスヘッドホン２６を使用する場合には例えば０１１の信号を付加する。
【００３８】
図３の検出回路７２は受信回路５９で受信された音声信号の最初の部分に挿入された上記の識別信号を検出し、これに応じてスイッチ７３のＯＮ・ＯＦＦの切換えを行なう。この動作が図５に示されており、検出回路７２が音声信号の検出を行なうとともに、ヘッドホン識別信号があるかないかの判別を行ない、ある場合にはサラウンドスピーカを駆動しない。これに対してヘッドホンの識別信号がない場合、あるいはサラウンド信号が存在する場合にはサラウンドスピーカ１５、１６を駆動する。従ってワイヤレスヘッドホン２６で音声を再生する場合に、サラウンドスピーカ１５、１６が音声を再生することはなくなる。
【００３９】
次に別の実施の形態を図６によって説明する。この実施の形態は上記第１の形態におけるフロントスピーカ１３、１４および左右一対のサラウンドスピーカ１５、１６の他にさらにセンタスピーカ７７とサブウーハ７８とを付加し、これによっていわゆる５．１チャンネルのオーディオ装置としたものであって、サラウンド効果をさらに高めるようにしている。
【００４０】
しかもここではオーディオ装置１０側に受信部８１を設け、この受信部８１によって制御信号を供給するためのリモートコマンダ８０によってこのオーディオ装置１０を制御するようにしている。そしてリモートコマンダ８０によってワイヤレスヘッドホン２６を使用する信号を供給すると、上記の切換え動作が自動的に行なわれるようにしたものである。
【００４１】
従ってこのシステムによれば、リスナ２５はワイヤレスヘッドホン２６を頭部に装着してリモートコマンダ８０によって信号をオーディオ装置１０に供給することによって、ワイヤレスヘッドホン２６で音声を再生して楽しむことが可能になり、このときに左右一対の前方側のスピーカ１３、１４および左右一対の後方のサラウンドスピーカ１５、１６はその再生動作が停止される。なおこのように停止動作は、リモートコマンダ８０からのコマンド信号を受信部８１が受信した場合に、図２に示すスイッチ６５を閉じることによって達成される。従って操作釦２４を受信部８１に置換えることになる。
【００４２】
以上本願発明を図示の実施の形態によって説明したが、本願発明は上記実施の形態によって限定されることなく、本願発明の技術的思想の範囲内において各種の変更が可能である。例えば上記実施の形態におけるサラウンドスピーカ１５、１６あるいはワイヤレスヘッドホン２６に対する音声信号の供給を赤外線に重畳して行なうようにしているが、電波によってワイヤレスで送信することも可能である。
【産業上の利用可能性】
【００４３】
本願発明はサラウンド機能を有するオーディオ装置に広く利用可能である。
【図面の簡単な説明】
【００４４】
【図１】音声再生装置におけるスピーカの配置を示す平面図である。
【００４５】
【図２】同音声再生装置の回路構成を示すブロック図である。
【００４６】
【図３】サラウンドスピーカの駆動と停止を切換える回路の回路図である。
【００４７】
【図４】音声信号の最初の部分に挿入される識別信号のパルスを示す波形図である。
【００４８】
【図５】検出回路によるサラウンドスピーカの駆動の切換えを示すブロック図である。
【００４９】
【図６】別の実施の形態のスピーカの配置を示す平面図である。
【００５０】
【図７】従来のサラウンド機能を有する音声再生装置の回路図である。
【符号の説明】
【００５１】
１０‥‥オーディオ装置、１１‥‥デイスプレイパネル、１３‥‥フロントスピーカ（左）、１４‥‥フロントスピーカ（右）、１５‥‥サラウンドスピーカ（左）、１６‥‥サラウンドスピーカ（右）、２０‥‥発光部、２１‥‥受光部（左）、２２‥‥受光部（右）、２４‥‥検出釦、２５‥‥リスナ、２６‥‥ヘッドホン、２７‥‥受光部、３１‥‥ラジオチューナ、３２‥‥テレビチューナ、３３‥‥ディスクプレーヤ、３４‥‥テーププレーヤ、３５‥‥セレクトスイッチ、３６‥‥Ａ／Ｄ変換器、３７‥‥デコーダ・Ｄ／Ａ変換器、４１、４２‥‥アンプ、４３‥‥ヘッドホンジャック、４４‥‥接点（左）、４５、４６‥‥アンプ、４７‥‥接点（右）、４９‥‥検出スイッチ、５０‥‥ダイオード、５１‥‥スイッチ（左）、５２‥‥スイッチ（右）、５５‥‥切換えスイッチ（左）、５６‥‥切換えスイッチ（右）、５７‥‥送信回路、５９‥‥受信回路（左）、６０‥‥受信回路（右）、６１‥‥アンプ（左）、６２‥‥アンプ（右）、６５、６６‥‥スイッチ、６７、６８‥‥ダイオード、６９‥‥スイッチ、７２‥‥検出回路、７３‥‥スイッチ、７７‥‥センタスピーカ、７８‥‥サブウーハ、８０‥‥リモートコマンダ、８１‥‥受信部
【図１】
2005124106.tif 000003
【図２】
2005124106.tif 000004
【図３】
2005124106.tif 000005
【図４】
2005124106.tif 000006
【図５】
2005124106.tif 000007
【図６】
2005124106.tif 000008
【図７】
2005124106.tif 000009